【事件の表示】
　特許第２７４０６５０号「定電流発生回路」の特許に対する特許異議の申立てについて、次のとおり決定する。
【結論】
　訂正を認める。
　特許第２７４０６５０号の特許を維持する。
【理由】
（１）手続きの経緯
　特許２７４０６５０号の請求項１に係る発明は、昭和６３年６月２４日に特許出願され、平成１０年１月２３日にその特許の設定登録がなされ、その後、異議申立人・山下鐸夫によりその特許について特許異議の申立がなされ、平成１０年１２月１６日（発送日平成１１年１月２９日）に取消理由通知がなされ、その指定期間内である平成１１年３月３０日に訂正請求がなされた後、訂正拒絶理由が通知され、訂正拒絶理由に対して手続補正書が提出されたものである。
（２）訂正の適否についての判断
Ａ）訂正請求に対する補正の適否について
　当審が、平成１１年７月１日付けで通知した訂正拒絶理由の概要は「請求項１に係る発明の定電流発生回路は、負荷素子としてダイオードを用い、定電流源としてダイオードバイアス型定電流回路を用いることにより、温度変動による定電流源の変動を抑えることであるが、この点が請求項１に係る発明に記載されていない。」というものである。
ア）訂正請求に対する補正の内容
　特許権者は、平成１１年７月１日付け手続補正書（訂正請求書）により、次の補正１）〜８）をしたものである。
　１）
　ａ）全文訂正明細書の特許請求の範囲の請求項１に係る発明「【請求項１】ＭＯＳトランジスタで構成したＭＯＳカレントミラー回路の入力に定電流源を接続し、該ＭＯＳカレントミラー回路の出力に定電流出力を供給する定電流発生回路において、
　該ＭＯＳカレントミラー回路の出力側トランジスタの電流出力部に直列に接続された負荷素子を介して定電流出力を得、該出力にはバイポーラトランジスタで構成したバイポーラ・カレントミラー回路の入力が接続されていることを特徴とする定電流発生回路。」を、
　「【請求項１】ＭＯＳトランジスタで構成したＭＯＳカレントミラー回路の入力にダイオードバイアス型の定電流源を接続し、該ＭＯＳカレントミラー回路の出力に定電流出力を供給する定電流発生回路において、
　該ＭＯＳカレントミラー回路の出力側トランジスタの電流出力部に直列に接続されたダイオードを介して定電流出力を得、該出力にはバイポーラトランジスタで構成したバイポーラ・カレントミラー回路の入力が接続されていることを特徴とする定電流発生回路。」と補正する。
　ｂ）訂正請求書の訂正事項ａについて、補正後の全文訂正明細書の請求項１に係る発明の記載に対応するように補正する。
　ｃ）訂正請求書の請求の原因の（ｉ）について、補正後の全文訂正明細書の請求項１に係る発明の記載に対応するように補正する。
　２）
　ａ）全文訂正明細書第２頁第２１行目〜第３頁第４行目の記載【課題を解決するための手段】を、補正後の全文訂正明細書の請求項１に係る発明の記載に対応するように補正する。
　ｂ）訂正請求書の訂正事項ｂの記載を、補正後の全文訂正明細書の請求項１に係る発明の記載に対応するように補正する。
　ｃ）訂正請求書の請求の原因の（ｉｉ）について、補正後の全文訂正明細書の請求項１に係る発明の記載に対応するように補正する。
　３）
　ａ）全文訂正明細書第３頁第５行目〜第１３行目【作用】の記載を、補正後の全文訂正明細書の請求項１に係る発明の記載に対応するように補正する。
　ｂ）訂正請求書の第３頁第１０行目の後に、訂正事項ｄとして、上記３）ａ）の補正に対応した事項を加入する。
　ｃ）訂正請求書の第４頁第１７行目の後に、請求の原因の（ｉｖ）として、訂正事項ｄに対応した内容を加入する。
　４）
　ａ）全文訂正明細書第３頁第１４行目〜第１５行目の記載を、補正後の全文訂正明細書の請求項１に係る発明の記載に対応するように補正する。
　ｂ）訂正請求書の第３頁第１０行目の後に、訂正事項ｄに続けて、訂正事項ｅとして、上記４）ａ）の補正に対応した事項を加入する。
　ｃ）訂正請求書の第４頁第１７行目の後に、請求の原因の（ｉｖ）に続けて、請求の原因の（ｖ）として、訂正事項ｅに対応した内容を加入する。
　５）
　ａ）全文訂正明細書第３頁第２６行目の記載を、補正後の全文訂正明細書の請求項１に係る発明の記載に対応するように補正する。
　ｂ）訂正請求書の第３頁第１０行目の後に、訂正事項ｅに続けて、訂正事項ｆとして、上記５）ａ）の補正に対応した事項を加入する。
　ｃ）訂正請求書の第４頁第１７行目の後に、請求の原因の（ｖ）に続けて、請求の原因の（ｖｉ）として、訂正事項ｆに対応した内容を加入する。
　６）
　ａ）全文訂正明細書第４頁第１７行目の記載を、補正後の全文訂正明細書の請求項１に係る発明の記載に対応するように補正する。
　ｂ）訂正請求書の第３頁第１０行目の後に、訂正事項ｆに続けて、訂正事項ｇとして、上記６）ａ）の補正に対応した事項を加入する。
　ｃ）訂正請求書の第４頁第１７行目の後に、請求の原因の（ｖｉ）に続けて、請求の原因の（ｖｉｉ）として、訂正事項ｇに対応した内容を加入する。
　７）
　ａ）全文訂正明細書第５頁第２４行目の記載を、補正後の全文訂正明細書の請求項１に係る発明の記載に対応するように補正する。
　ｂ）訂正請求書の第３頁第１０行目の後に、訂正事項ｇに続けて、訂正事項ｈとして、上記７）ａ）の補正に対応した事項を加入する。
　ｃ）訂正請求書の第４頁第１７行目の後に、請求の原因の（ｖｉｉ）に続けて、請求の原因の（ｖｉｉｉ）として、訂正事項ｈに対応した内容を加入する。
　８）
　ａ）全文訂正明細書第５頁第２６行目〜第２８行目の記載を、補正後の全文訂正明細書の請求項１に係る発明の記載に対応するように補正する。
　ｂ）訂正請求書の第３頁第１０行目の後に、訂正事項ｈに続けて、訂正事項ｉとして、上記８）ａ）の補正に対応した事項を加入する。
　ｃ）訂正請求書の第４頁第１７行目の後に、請求の原因（ｖｉｉｉ）に続けて、請求の原因の（ｉｘ）として、訂正事項ｉに対応した内容を加入する。
イ）訂正請求に対する補正の適否
　上記補正の適否について検討すると、１）ａ）の補正は特許請求の範囲の減縮に該当し、２）ａ）〜８）ａ）の補正は明瞭でない記載の釈明に該当し、また、訂正請求書に関する１）ｂ）、１）ｃ）〜８）ｂ）、８）ｃ）の補正は上記１）ａ）〜８）ａ）の補正に対応した付随的な補正であるから、当該訂正請求に対する補正は、訂正請求書の要旨を変更するものでなく、特許法第１２０条の４第３項において準用する同法第１３１条第２項の規定に適合する。
Ｂ）訂正の内容
　特許権者が求めている訂正事項の内容は、以下のａ）、ｂ）、ｃ）、ｄ）、ｅ）、ｆ）、ｇ）、ｈ）、ｉ）のとおりである。
　ａ）特許請求の範囲の記載「【請求項１】トランジスタで構成したカレントミラー回路の入力に定電流源を接続し、該カレントミラー回路の出力に定電流出力を供給する定電流発生回路において、
　該カレントミラー回路の出力側トランジスタの電流出力部に直列に接続された負荷を介して定電流出力を得ることを特徴とする定電流発生回路。」を、
　「【請求項１】ＭＯＳトランジスタで構成したＭＯＳカレントミラー回路の入力にダイオードバイアス型の定電流源を接続し、該ＭＯＳカレントミラー回路の出力に定電流出力を供給する定電流発生回路において、
　該ＭＯＳカレントミラー回路の出力側トランジスタの電流出力部に直列に接続されたダイオードを介して定電流出力を得、該出力にはバイポーラトランジスタで構成したバイポーラ・カレントミラー回路の入力が接続されていることを特徴とする定電流発生回路。」と訂正する。
　ｂ）明細書の第４頁第９行目〜第１９行目の記載【課題を解決するための手段】を上記Ｂ）ａ）に対応させて訂正し、「負荷素子は、外部電源電圧の電圧変動や温度変動またはその組合せ等に対応して所定の定電流出力を得るために抵抗やダイオード素子を用いるなど適宜選択し得る。」を削除する。
　ｃ）明細書の第１０頁第１７行目〜第１１頁第３行目の記載「なお、第１図におけるトランジスタの使い方は図示のものに限るものではない。例えばカレントミラー回路３はＮＭＯＳトランジスタで置き換えられるし、カレントミラー回路２はＰＮＰバイポーラトランジスタで置き換えられる。また定電流発生回路としてはカレントミラー回路３を省略することもできる。」を削除する。
　ｄ）明細書の第４頁第２０行目〜第５頁第１３行目の記載【作用】を上記Ｂ）ａ）に対応させて訂正し、「負荷素子として、外部電源電圧の電圧変動や温度変動またはその組合せ等に対応して所定の定電流出力を得るために抵抗やダイオード素子を用いるなど適宜選択することにより所要の上記の設定が可能になる。」を削除する。
　ｅ）明細書の第５頁第１５行目の記載「への本発明の実施例であって、」を「の参考図であって、」と訂正する。
　ｆ）明細書の第６頁第１４行目の記載「本発明の動作説明」を「本参考例の動作説明」と訂正する。
　ｇ）明細書の第８頁第６行目の記載「本発明の第２の実施例」を「本発明の実施例」と訂正する。
　ｈ）明細書の第１１頁第９行目の記載「有用である。」を「有用である。ＭＯＳカレントミラー回路とバイポーラ・カレントミラー回路の間にダイオードを挿入することにより誤差が小さくなり、温度変動によるＭＯＳカレントミラー回路の電流伝達特性を約５％以下に抑えられる。」と訂正する。
　ｉ）明細書の第１１頁第１１行目の記載「本発明の第１の実施例」を「本発明の参考例」と、１４行目の記載「第２の実施例」を「実施例」と訂正する。
Ｃ）訂正の目的の適否、新規事項の追加の有無及び拡張・変更の存否
　上記訂正事項ａ）の請求項１に係る発明の訂正は、特許明細書に記載された事項の範囲内において、「トランジスタ」を「ＭＯＳトランジスタ」と、「カレントミラー回路」を「ＭＯＳカレントミラー回路」と、「定電流源」を「ダイオードバイアス型の定電流源」と、「負荷素子」を「ダイオード」と、「負荷素子を介して定電流出力を得る」を「ダイオードを介して定電流出力を得、該出力にはバイポーラトランジスタで構成したバイポーラ・カレントミラー回路の入力が接続されている」と限定したものといえるから、特許請求の範囲の減縮を目的とするものであって、新規事項の追加にも該当せず、また実質上特許請求の範囲を拡張又は変更するものではない。
　上記訂正事項ｂ）、ｃ）、ｄ）、ｅ）、ｆ）、ｇ）、ｈ）、ｉ）は、特許明細書に記載された事項の範囲内において、特許請求の範囲の記載と発明の詳細な説明の記載との整合を図るための訂正であり、明りょうでない記載の釈明を目的とするものであって、新規事項の追加にも該当せず、また実質上特許請求の範囲を拡張又は変更するものではない。
Ｄ）独立特許要件の判断
（訂正明細書の請求項１に係る発明）
　訂正明細書の請求項１に係る発明は、その特許請求の範囲に記載されたとおりのものである。
（刊行物に記載された発明）
　当審が通知した取消理由で引用した刊行物１（特開昭５５−５８６０８号公報）には、「本発明はＰＮＰトランジスタ１０２及び１０８のコレクタエミッタ間電圧を同程度にしてアーリ効果の影響を小さくすべくレベルシフト回路をトランジスタ１０８と１１３の間に設けて出力オフセットの改善をはかり上記従来のものの欠点を除去しようとするものである。第２図は本発明の一実施例である。レベルシフト回路としてダイオードを数個直列に接続しトランジスタ１０８のコレクタとトランジスタ１１３のコレクター間に挿入してある。」（２頁右下欄１４行〜３頁左上欄３行）、「レベルシフト回路は適当な値の抵抗又はツェナーダイオードによつても実現できる。」（３頁左上欄１６〜１７行）が記載されている。
　当審が通知した取消理由で引用した刊行物２（特開昭５９−４５７０５号公報）には、「入力端子と共通端子と出力端子を有するカレントミラー回路において、前記カレントミラー回路は低電圧素子で構成され、前記カレントミラー回路の出力端子にはＭＯＳ電界効果型トランジスタのソース電極が接続され、該ＭＯＳ電界効果型トランジスタのゲート電極は定電圧源に接続され、前記ＭＯＳ電界効果型トランジスタのドレイン電極を前記出力端子とするように構成され、前記ＭＯＳ電界効果型トランジスタは高耐圧素子で構成されていることを特徴とするカレントミラー回路。」（特許請求の範囲）、「出力端子２の電位変動にかかわらずソース電位はほぼ一定に保たれ、これによりカレントミラー回路１０のミラー比は高精度に保たれる。」（２頁左下欄２〜５行）が記載されている。
　当審が通知した取消理由で引用した刊行物３（鈴木康夫、樋口武尚編、「特許パルス回路技術辞典」、第１版、株式会社オーム社、昭和５５年５月２０日、ｐ．２７２〜２７３）には、「（３）ダイオードバイアス形（図３）　ツェナーダイオードの代わりにダイオードの順方向電圧降下の電圧ＶＤＦを用いるものである。温度変化による変動の少ないバイアス回路である。　［電流ミラー形定電流回路］　定電流回路は、ただ良好な定電流特性を有しておれば良いのではなく、出力電流値を所定の値に規定しやすい回路構成も望まれる。このような回路に、電流ミラー回路がある。」（２７２頁右下欄２３行〜３頁右上欄５行）が記載されている。
（対比・判断）
　訂正明細書の請求項１に係る発明と上記各刊行物に記載された発明とを対比すると、上記各刊行物のいずれにも、訂正明細書の請求項１に係る発明の構成に欠くことができない事項、すなわち必須の構成要件である「該ＭＯＳカレントミラー回路の出力側トランジスタの電流出力部に直列に接続されたダイオードを介して定電流出力を得、該出力にはバイポーラトランジスタで構成したバイポーラ・カレントミラー回路の入力が接続されている」を備えておらず、その構成要件により、訂正明細書の請求項１に係る発明は、「ＭＯＳカレントミラー回路とバイポーラ・カレントミラー回路の間にダイオードを挿入することにより誤差が小さくなり、温度変動によるＭＯＳカレントミラー回路の電流伝達特性を約５％以下に抑えられる。」という顕著な効果を奏するものであり、訂正明細書の請求項１に係る発明が、上記各甲号証のいずれかに記載された発明であるとも、また上記各甲号証に記載された発明から当業者が容易に発明をすることができたものともいえない。
Ｅ）まとめ
　以上のとおりであるから、上記訂正請求は、特許法等の一部を改正する法律（平成６年法律第１１６号）附則第６条第１項の規定によりなお従前の例によるとされる、特許法第１２０条の４第２項及び同条第３項で準用する第１２６条第２〜４項の規定に適合するので、当該訂正を認める。
（３）特許異議申立についての判断
Ａ）申立の理由の概要
　異議申立人・山下鐸夫は、証拠として甲第１号証（刊行物１）、甲第２号証（刊行物２）、甲第３号証（刊行物３）を提出し、イ）本件請求項１に係る発明（以下、本件発明という）は甲第１号証に記載された発明に該当するので、本件発明の特許は特許法第２９条第１項第３号の規定に違反してされたものであり、ロ）本件発明は甲第１〜３号証に記載された発明から当業者が容易に発明をすることができたものであるので、本件発明の特許は特許法第２９条第２項の規定に違反してなされたものであり、ハ）本件発明の詳細な説明には当業者が容易にその実施をすることができる程度に、その発明の目的、構成、効果が記載されているとはいえず、また特許請求の範囲には、特許を受けようとする発明の構成に欠くことができない事項のみを記載しているとはいえないので、特許法第３６条第３項又は第４項に規定する要件を満たしておらず、本件発明の特許を取り消すべき旨主張している。
Ｂ）対比・判断
　申立人・山下鐸夫が提出した甲第１、２、３号証は、取消理由通知書において引用した刊行物１、２、３であるから、訂正明細書の請求項１に係る発明は、上記（２）Ｄ）と同様の理由により、上記各甲号証のいずれかに記載された発明であるとも、また上記各甲号証に記載された発明から当業者が容易に発明をすることができたものともいえない。
Ｃ）異議申立人の主張
　申立人は、特許異議申立書７頁下から３行〜８頁２３行で「本件請求項１の負荷素子は、カレントミラー回路の入力および出力トランジスタの電圧・電流特性を同一条件に設定しえる値に規定された負荷素子でなければならず、任意の特性値の負荷素子を用いても上記の作用は奏しません。従いまして、本件の特許請求の範囲は、発明の詳細な説明に記載した発明の構成に欠くことができない事項のみを記載しているとはいえません。・・・負荷素子を設けることで、温度変動に対して所定の定電流出力が得られるためには、第１の定電流源のダイードＤ１〜Ｄ３の温度特性に対応して、同じ温度特性を有するダイオードＤ４、Ｄ５を設けることが必要であります。すなわち、第１の定電流源を構成する素子が特定されないと、負荷素子も特定することはできません。」と主張しているが、訂正請求により本件発明は上記（２）Ｂ）ａ）で示された訂正明細書の請求項１に係る発明になり、すなわち定電流源としてダイオードバイアス型の定電流源を用い、Ｍ０Ｓカレントミラー回路の出力にダイオードを介してバイポーラ・カレントミラー回路を接続するという必須な構成要件を備え、その構成要件により温度変動によるＭＯＳカレントミラー回路の電流伝達特性を約５％以下に抑えられるという顕著な効果を奏するので、異議申立人の主張を採用することができない。
Ｄ）むすび
　以上のとおりであるから、訂正明細書の請求項１に係る発明は、各甲号証に記載された発明であるとも、またそれらから当業者が容易に発明をすることができたものとすることはできない。
　また、他に訂正明細書の請求項１に係る発明の特許を取り消すべき理由を発見しない。
　よって、結論のとおり決定する。
【異議決定日】
平成１１年９月２１日（１９９９．９．２１）
【訂正の要旨】
訂正の要旨
　訂正事項ａ）　特許請求の範囲の記載「【請求項１】トランジスタで構成したカレントミラー回路の入力に定電流源を接続し、該カレントミラー回路の出力に定電流出力を供給する定電流発生回路において、該カレントミラー回路の出力側トランジスタの電流出力部に直列に接続された負荷を介して定電流出力を得ることを特徴とする定電流発生回路。」を、「【請求項１】ＭＯＳトランジスタで構成したＭＯＳカレントミラー回路の入力にダイオードバイアス型の定電流源を接続し、該ＭＯＳカレントミラー回路の出力に定電流出力を供給する定電流発生回路において、該ＭＯＳカレントミラー回路の出力側トランジスタの電流出力部に直列に接続されたダイオードを介して定電流出力を得、該出力にはバイポーラトランジスタで構成したバイポーラ・カレントミラー回路の入力が接続されていることを特徴とする定電流発生回路。」と訂正する。
　訂正事項ｂ）　明細書の第４頁第９行目〜第１９行目の記載【課題を解決するための手段】を上記訂正事項ａ）に対応させて訂正し、「負荷素子は、外部電源電圧の電圧変動や温度変動またはその組合せ等に対応して所定の定電流出力を得るために抵抗やダイオード素子を用いるなど適宜選択し得る。」を削除する。
　訂正事項ｃ）　明細書の第１０頁第１７行目〜第１１頁第３行目の記載「なお、第１図におけるトランジスタの使い方は図示のものに限るものではない。例えばカレントミラー回路３はＮＭＯＳトランジスタで置き換えられるし、カレントミラー回路２はＰＮＰバイポーラトランジスタで置き換えられる。また定電流発生回路としてはカレントミラー回路３を省略することもできる。」を削除する。
　訂正事項ｄ）　明細書の第４頁第２０行目〜第５頁第１３行目の記載【作用】を上記訂正事項ａ）に対応させて訂正し、「負荷素子として、外部電源電圧の電圧変動や温度変動またはその組合せ等に対応して所定の定電流出力を得るために抵抗やダイオード素子を用いるなど適宜選択することにより所要の上記の設定が可能になる。」を削除する。
　訂正事項ｅ）　明細書の第５頁第１５行目の記載「への本発明の実施例であって、」を「の参考図であって、」と訂正する。
　訂正事項ｆ）　明細書の第６頁第１４行目の記載「本発明の動作説明」を「本参考例の動作説明」と訂正する。
　訂正事項ｇ）　明細書の第８頁第６行目の記載「本発明の第２の実施例」を「本発明の実施例」と訂正する。
　訂正事項ｈ）　明細書の第１１頁第９行目の記載「有用である。」を「有用である。ＭＯＳカレントミラー回路とバイポーラ・カレントミラー回路の間にダイオードを挿入することにより誤差が小さくなり、温度変動によるＭＯＳカレントミラー回路の電流伝達特性を約５％以下に抑えられる。」と訂正する。
　訂正事項ｉ）　明細書の第１１頁第１１行目の記載「本発明の第１の実施例」を「本発明の参考例」と、１４行目の記載「第２の実施例」を「実施例」と訂正する。
　上記訂正事項ａ）の請求項１に係る発明の訂正は、特許明細書に記載された事項の範囲内において、「トランジスタ」を「ＭＯＳトランジスタ」と、「カレントミラー回路」を「ＭＯＳカレントミラー回路」と、「定電流源」を「ダイオードバイアス型の定電流源」と、「負荷素子」を「ダイオード」と、「負荷素子を介して定電流出力を得る」を「ダイオードを介して定電流出力を得、該出力にはバイポーラトランジスタで構成したバイポーラ・カレントミラー回路の入力が接続されている」と限定したものといえるから、特許請求の範囲の減縮を目的とするものであって、新規事項の追加にも該当せず、また実質上特許請求の範囲を拡張又は変更するものではない。
　上記訂正事項ｂ）、ｃ）、ｄ）、ｅ）、ｆ）、ｇ）、ｈ）、ｉ）は、特許明細書に記載された事項の範囲内において、特許請求の範囲の記載と発明の詳細な説明の記載との整合を図るための訂正であり、明りょうでない記載の釈明を目的とするものであって、新規事項の追加にも該当せず、また実質上特許請求の範囲を拡張又は変更するものではない。
（５４）【発明の名称】
定電流発生回路
（５７）【特許請求の範囲】
　
ＭＯＳ
ＭＯＳ
にダイオードバイアス型の
ＭＯＳ
　
該ＭＯＳ
ダイオード
、該出力にはバイポーラトランジスタで構成したバイポーラ・カレントミラー回路の入力が接続されている
【発明の詳細な説明】
［産業上の利用分野］
　本発明はＬＳＩ内部で使用する定電流源に関するものであり、特に外部低電位電源近傍で定電流を発生するのに有効な定電流発生回路に関する。
［従来の技術］
　外部低電位電源（ＶＥＥ＝−５．２Ｖ）近傍で定電流を発生する従来の定電流発生回路には例えば特願昭６２−５２０８０に示されたものがある。これを第６図に示す。
　第６図の定電流発生回路は、第１の定電流源１、ＭＯＳカレントミラー回路２、およびバイポーラ・カレントミラー回路３で構成される。
　第１の定電流源１では、抵抗Ｒ２と直列接続されたダイオードＤ１〜Ｄ３の一定の両端電圧がＶＥＥとバイポーラトランジスタＱ４のベースとの間に与えられることにより定電流Ｉ０を発生している。定電流Ｉ０の電流値は、バイポーラトランジスタＱ４のエミッタに接続された抵抗Ｒ１により調整できる。
　カレントミラー回路は、例えば同一電源に結線された入力，出力のトランジスタのゲート同志を接続し、また入力トランジスタのゲートとドレインを接続するなどにより、入力トランジスタに所要電流を流すに伴い出力トランジスタの電流を所定電流に制御することを可能にするものである。
　第６図におけるＭＯＳカレントミラー回路２はＭＯＳトランジスタＴ２に流れる電流Ｉ０をＭＯＳトランジスタＴ１に伝達し、ＭＯＳトランジスタＴ１により定電流Ｉ１をバイポーラトランジスタＱ１に供給する。
　バイポーラ・カレントミラー回路３は、バイポーラトランジスタＱ１に流れる電流Ｉ１をバイポーラトランジスタＱ２に伝達し、バイポーラトランジスタＱ２のコレクタより定電流Ｉ２を発生する。
　しかし所定電流の定電流を得るのに好適な上記の定電流回路にも次のような問題があり、その解決を要する課題あった。
［発明が解決しようとする課題］
　上記の回路において、ＭＯＳカレントミラー回路を構成するＭＯＳトランジスタＴ１、Ｔ２の電流・電圧特性（ドレイン電流対ドレイン電圧）が飽和領域において傾きを持つ場合、ＭＯＳトランジスタＴ２のドレイン電圧Ｖ２がＭＯＳトランジスタＴ１のドレイン電圧Ｖ１より大きくなると、各ＭＯＳトランジスタのチャネル幅を等しくしても、ＭＯＳトランジスタＴ１に流れる電流Ｉ１がＭＯＳトランジスタＴ２に流れる電流Ｉ０に等しくならなくなり、所定電流による定電流源を得るうえで不都合な問題があった。
　この問題はカレントミラー回路にＭＯＳトランジスタを用いた場合に限らない。
　本発明はトランジスタのカレントミラー回路におけるこのような問題を解決し、変動の小さい定電流源を外部低電源近傍で得る定電流発生回路を提供することを目的とする。
［課題を解決するための手段］
　上記の目的を達成するため本発明では、
ＭＯＳ
ＭＯＳ
ダイオードバイアス型の
該ＭＯＳ
ダイオード
、該出力にはバイポーラトランジスタで構成したバイポーラ・カレントミラー回路の入力が接続されている
指す。
［作
　本発明でトランジスタで構成したカレントミラー回路の出力を
ダイオード
ある。
［実
　第１図は外部低電位電源近傍で定電流を発生する定電流発生回路
の参考例
　第１の定電流源１、ＭＯＳカレントミラー回路２、およびバイポーラ・カレントミラー回路３からなる。
　第１の定電流源１およびＭＯＳカレントミラー回路２は従来回路と同一回路であり、バイポーラトランジスタＱ４のコレクタがＭＯＳトランジスタＴ１、Ｔ２のゲートおよびＭＯＳトランジスタＴ２のドレインに接続されている。ＭＯＳトランジスタＴ１のドレインは抵抗Ｒ３に接続され、抵抗Ｒ３を介してバイポーラ・カレントミラー回路のバイポーラトランジスタＱ１のコレクタに定電流Ｉ１′を供給している。バイポーラ・カレントミラー回路３も従来回路と同一回路であり、バイポーラトランジスタＱ１に流れる電流Ｉ１′をバイポーラトランジスタＱ２に伝達し、バイポーラトランジスタＱ２のコレクタより定電流Ｉ２′を発生している。
　第１図において本
参考例
　以下では、バイポーラトランジスタＱ１、Ｑ２のエミッタ面積が等しい場合について説明する。バイポーラトランジスタのエミッタ面積が異なる場合は、供給電流はエミッタ面積比に比例するため同様に説明できる。
　第１の定電流源１で定電流Ｉ０が発生すると、ＭＯＳカレントミラー回路のダイオード接続されたＭＯＳトランジスタＴ２のドレイン電圧Ｖ２が、しきい値電圧近傍に設定される。このときＭＯＳトランジスタＴ１のゲート電圧にも、ＭＯＳトランジスタＴ２のゲート電圧が印加される。ＭＯＳトランジスタＴ１のドレインには、抵抗Ｒ３が接続されているため、ＭＯＳトランジスタＴ１のドレイン電圧Ｖ１がＭＯＳトランジスタＴ２のドレイン電圧Ｖ２と等しくなるように抵抗値を設定すれば、ＭＯＳトランジスタＴ１に流れる電流Ｉ１′をＭＯＳトランジスタＴ２に流れる電流Ｉ０に等しくすることができる。バイポーラトランジスタＱ２に流れる電流Ｉ２′は、カレントミラー接続によりバイポーラトランジスタＱ１に流れる電流Ｉ１′に等しい電流を発生することができる。
　第２図は抵抗Ｒ３を挿入した場合のＭＯＳカレントミラー回路の電流値の外部電源変動依存性を示したものである。縦軸は、ＭＯＳカレントミラー回路の出力電流値Ｉ１′と入力電流値Ｉ０の誤差を示したものであり、横軸は、外部電源電圧を示したものである。第２図よりＭＯＳカレントミラー回路とバイポーラ・カレントミラー回路の間に抵抗Ｒ３を挿入することにより、ＭＯＳカレントミラー回路の電流伝達誤差を１０％以下に抑えることができる。
　第３図は本発明
の実
　まず、温度が低温側に変動した場合を説明する。
　第１の定電流源１の電流値Ｉ０は、ダイオードＤ１〜Ｄ３の接合電圧が大きくなるため増加する。定電流源Ｉ０が増加すると、ＭＯＳカレントミラー回路のＭＯＳトランジスタＴ２のドレイン電圧およびＭＯＳトランジスタＴ１、Ｔ２のゲート電圧Ｖ２が負側に大きくなる。このとき、ＭＯＳトランジスタＴ１のドレインに接続されたダイオードＤ４、Ｄ５の接合電圧が大きくなるため、ＭＯＳトランジスタＴ１のドレイン電圧Ｖ１の負電圧が小さくなり、ＭＯＳトランジスタＴ１に流れる電流が抑制される。
　つぎに、温度が高温側に変動した場合を説明する。
　第１の定電流源１の電流値Ｉ０は、ダイオードＤ１〜Ｄ３の接合電圧が小さくなるため減少する。定電流源Ｉ０が減少すると、ＭＯＳカレントミラー回路のＭＯＳトランジスタＴ２のドレイン電圧およびＭＯＳトランジスタＴ１、Ｔ２のゲート電圧Ｖ２の負電圧小さくなる。このとき、ＭＯＳトランジスタＴ１のドレインに接続されたダイオードＤ４、Ｄ５の接合電圧が小さくなるため、ＭＯＳトランジスタＴ１のドレイン電圧Ｖ１が負側に大きくなり、ＭＯＳトランジスタＴ１に流れる電流Ｉ１′が増加する。
　第４図はＭＯＳカレントミラー回路の電流値の温度変動依存性を示したものである。縦軸は、ＭＯＳカレントミラー回路の出力電流値Ｉ１´と入力電流値Ｉ０の誤差を示したものであり、横軸は温度を示したものである。第４図より、ＭＯＳカレントミラー回路とバイポーラ・カレントミラー回路の間にダイオードを挿入することにより誤差が小さくなり、温度変動によるＭＯＳカレントミラー回路の電流伝達特性を約５％以下に抑えられることがわかる。また、ダイオードを挿入することにより、誤差が正の傾きを持つことがわかる。これは、第１の定電流源Ｉ０が温度の上昇とともに減少するため、カレントミラー電流Ｉ１′が定電流を発生していることを意味している。
　第５図は、第３図に示す定電流発生回路の定電流値Ｉ２′の電源電圧・温度変動依存性を示したものである。縦軸は、バイポーラ・カレントミラー回路の出力電流値Ｉ２′と第１の定電流源Ｉ０の誤差を示したものであり、横軸は温度を示したものであり、パラメータは電源電圧である。第３図の定電流発生回路を用いることにより、第１の定電流源との誤差を１５％以内に抑えることができる。
［効
　以上説明したように、本発明によれば、トランジスタのカレントミラー回路により、変動の小さな定電流源が得られる。本回路は、外部電源電圧が小さくなった場合のバイポーラ差動増幅回路の定電流源として有用である。
ＭＯＳカレントミラー回路とバイポーラ・カレントミラー回路の間にダイオードを挿入することにより誤差が小さくなり、温度変動によるＭＯＳカレントミラー回路の電流伝達特性を約５％以下に抑えられる。
【図面の簡単な説明】
　第１図は本発明の
参考例
の実
１…第１の定電流源
２…ＭＯＳカレントミラー回路
３…バイポーラ・カレントミラー回路
Ｔ１〜Ｔ２…ＭＯＳトランジスタ
Ｑ１〜Ｑ４…バイポーラトランジスタ
Ｒ１〜Ｒ３…負荷抵抗
Ｄ１〜Ｄ５…ダイオード
ＶＥＥ（−５．２Ｖ）…外部低電位電源